(57)【要約】      （修正有）【課題】扉の高さを調整できる機構、および隣接する扉面の離間距離を調節する機構を備えることを特徴とする扉用車輪モジュールを提供する。【解決手段】扉用車輪モジュール１は、容器状本体６と、容器状本体６に、Ｘ軸方向に移動自在に設けられた左右方向移動子と、容器状本体６に、Ｙ軸方向およびＺ軸方向に移動可能に設けられた上下方向移動子を備え、当該左右方向移動子と上下方向移動子とが、それぞれに設けられたテーパー状の当接部を介して互いに当接され、前記上下方向移動子に対してＹ軸方向に移動可能かつＸ軸方向およびＺ軸方向に移動不能に拘束された第三移動子が前記容器状本体に取り付けられ、該第三移動子の自由端に形成されたカム面とかみ合うカムを介して第二螺子１２が容器状本体６に取り付けられ、第二螺子１２のＸ軸まわりの回転運動が、前記カムを介して前記上下方向移動子の直線運動に変換されてなることを特徴とする。【選択図】図１
0003144568.tif 000002
【実用新案登録請求の範囲】
【請求項１】
建築物の鴨居などに沿って取り付けられたレールに垂下され、かつ移動自在に取り付けられるべき引き戸などの扉構造体の前記レールに着脱自在に設けられた車輪構造体が、前記扉構造体に取り外し可能に設けられる扉用車輪モジュールであって、
前記モジュールが、前記扉構造体に取り付けられる容器状本体と、
該容器状本体に、Ｘ軸方向に移動自在に設けられた左右方向移動子と、
該容器状本体に、Ｙ軸方向およびＺ軸方向に移動可能に設けられた上下方向移動子を備え、
当該左右方向移動子と上下方向移動子とが、それぞれに設けられたテーパー状の当接部を介して互いに当接され、
前記左右方向移動子のＺ軸方向の移動が不能とされ、
前記上下方向移動子のＸ軸方向の移動が不能とされ、
前記上下方向移動子の一端に前記レールを転動する車輪が設けられ、
前記左右方向移動子に第一螺子が螺合し、
該第一螺子が前記容器状本体にＸ軸周りに回転可能かつＸ軸方向に移動不能に取り付けられ、
前記上下方向移動子に対してＹ軸方向に移動可能かつＸ軸方向およびＺ軸方向に移動不能に拘束された第三移動子が前記容器状本体に取り付けられ、
該第三移動子の自由端に形成されたカム面とかみ合うカムを介して第二螺子が前記容器状本体に回転可能かつＸ軸方向に移動不能に取り付けられ、
前記第二螺子のＸ軸まわりの回転運動が、前記カムを介して前記上下方向移動子の直線運動に変換されてなる扉用車輪モジュール。
【請求項２】
前記容器状本体内に、Ｘ軸方向に互いに並行して形成された２つの土手間に前記左右方向移動子が移動自在に嵌入され
前記容器状本体内に、Ｚ軸方向に並行して形成された２つの土手間に前記上下方向移動子が移動自在に嵌入され、
前記第三移動子の固定端に形成された嵌め込み部が、前記上下方向移動子においてＹ軸方向に貫通し、Ｘ軸方向一端に開口部を有する嵌合孔に嵌入される請求項１記載の扉用車輪モジュール。
【請求項３】
前記カムと前記第二螺子が一体成型されてなる請求項１または２いずれかに記載の扉用車輪モジュール。
【請求項４】
前記左右方向移動子と前記上下方向移動子それぞれに設けられた前記当接部が、Ｘ軸に対してＹ軸方向に３０度〜６０度傾斜し、該当接部が互いに並行に当接し、該当接部が滑らかに形成される請求項１〜３いずれかに記載の扉用車輪モジュール。
【考案の詳細な説明】
【技術分野】
【０００１】
本考案は、扉用車輪モジュールに関する。さらに詳しくは、建築物の鴨居などに沿って取り付けられたレールに垂下され、かつ移動自在に取り付けられるべき引き戸などの扉構造体の前記レールに着脱自在に設けられた車輪構造体が、前記扉構造体に取り外し可能に設けられる扉用車輪モジュールであって、前記モジュールが、前記扉構造体に取り付けられる容器状本体と、該容器状本体に、Ｘ軸方向に移動自在に設けられた左右方向移動子と、該容器状本体に、Ｙ軸方向およびＺ軸方向に移動可能に設けられた上下方向移動子を備える扉用車輪モジュールに関する。
【背景技術】
【０００２】
従来の引き戸装置としては、引き戸を支える敷居に溝を設けるか、または引き戸の下部に戸車、敷居にはレールを設けていたため、敷居の溝やレールにはごみが溜まり易く、また設置場所が建物の中である場合、たとえば杖をついた老人の歩行を妨げたり、車椅子の通行を妨げたりすることがあった。そこで、最近では吊下げ式の引き戸装置が種々開発されている。
【０００３】
たとえば、特許文献１には、引き戸のためのレール金具を壁面上部に固定した引き戸装置に関する技術が開示されている。引き戸は、レール金具により吊下げられているため、歩行の妨げとなる敷居の溝やレールを排除することができる。
【０００４】
【特許文献１】登録実用新案第３１５８４５７号公報
【考案の開示】
【考案が解決しようとする課題】
【０００５】
しかし、床をたとえばフローリングから畳に変更した場合や、床の上にカーペットなどの敷物を敷いた場合（もしくはすでに敷かれている敷物を取り払った場合）に実質的な床の高さの変化に対応できず、床の高さが高くなった場合は扉の底部が床と接して床面を傷つける、または開閉不可能となる。逆に床の高さが低くなった場合はスペースが生じるために、冷暖房の効率が悪くなる、さらにスペースに足の先などを挟み、家庭内事故の原因となることがある。
【０００６】
また、吊り下げ式の引き戸装置では、引き戸がレール金具により吊り下げられている構造のため、扉同士が衝突し、異音が発生してしまう。このような異音は、隣接する扉面に緩衝材を挿入することで軽減できるが、隣接する扉面の離間距離は引き戸によって決まっており、離間距離がほぼない場合には緩衝材が挿入できない。逆に離間距離が大きい場合には、緩衝材は挿入できるが、引き戸装置の厚さが大きくなり、隣接する扉の間にゴミやほこりが溜まり易い。
【０００７】
本考案はかかる問題を解消するためになされたものであり、扉の高さを調整できる機構、および隣接する扉面の離間距離を調節する機構を備えることを目的とする。
【課題を解決するための手段】
【０００８】
本考案の引き戸装置は、建築物の鴨居などに沿って取り付けられたレールに垂下され、かつ移動自在に取り付けられるべき引き戸などの扉構造体の前記レールに着脱自在に設けられた車輪構造体が、前記扉構造体に取り外し可能に設けられる扉用車輪モジュールであって、前記モジュールが、前記扉構造体に取り付けられる容器状本体と、該容器状本体にＸ軸方向に移動自在に設けられた左右方向移動子と、該容器状本体にＹ軸方向およびＺ軸方向に移動可能に設けられた上下方向移動子を備え、当該左右方向移動子と上下方向移動子とが、それぞれに設けられたテーパー状の当接部を介して互いに当接され、前記左右方向移動子のＹ軸方向およびＺ軸方向の移動が不能とされ、前記上下方向移動子のＸ軸方向の移動が不能とされ、前記上下方向移動子の一端に前記レールを転動する車輪が設けられ、前記左右方向移動子に第一螺子が螺合し、該第一螺子が前記容器状本体に回転可能かつＸ軸方向に移動不能に取り付けられ、前記上下方向移動子に対してＹ軸方向に移動可能かつＸ軸方向およびＺ軸方向に移動不能に拘束された第三移動子が前記容器状本体に取り付けられ、該第三移動子の自由端に形成されたカム面とかみ合うカムを介して第二螺子が前記容器状本体に回転可能かつＸ軸方向に移動不能に取り付けられ、前記第二螺子のＸ軸まわりの回転運動が、前記カムを介して前記上下方向移動子の直線運動に変換されてなることを特徴とする。
【０００９】
また、前記容器状本体内に、Ｘ軸方向に並行して形成された二本の土手に挟まれた左右方向溝が形成され、前記左右方向移動子が該左右方向溝に嵌入され、該容器状本体のＹ軸方向端部に前記左右方向移動子が当接されることで前記左右方向移動子のＹ軸方向およびＺ軸方向の移動が不能とされ、前記容器状本体内に、Ｚ軸方向に並行して形成された二本の土手に挟まれた上下方向溝が形成され、前記上下方向移動子が該上下方向溝に嵌入されることで前記上下方向移動子のＸ軸方向の移動が不能とされ、該第一螺子が前記容器状本体に設けられた貫通孔および前記容器状本体内部に配設されたワッシャーを介して前記左右方向移動子に螺合されることで該第一螺子が前記容器状本体に回転可能かつＸ軸方向に移動不能に取り付けられてなることが好ましい。
【００１０】
前記カムと前記第二螺子が一体成型されてなることが好ましい。
【００１１】
前記左右方向移動子と前記上下方向移動子それぞれに設けられた前記当接部が、Ｘ軸に対してＹ軸方向に３０度〜６０度傾斜し、該当接部が互いに並行に当接し、該当接部が滑らかに形成される。
【考案の効果】
【００１２】
本考案によれば、扉の高さ（Ｚ軸方向）を調整できる機構、および隣接する扉面の離間距離（Ｙ軸方向）を調節する機構を備え、必要に応じて扉の高さおよび隣接する扉面の離間距離を所望の高さおよび幅に調整することができる。これにより、実質的な床の高さに対応可能になり、扉下の隙間による冷暖房の効率悪化を防止できる。また、隣接する扉面の離間距離を広げることができるので、離間距離がほぼない引き戸の場合でも、扉同士が衝突することによる異音を軽減するための緩衝材を挿入することができる。
【考案を実施するための最良の形態】
【００１３】
以下、添付図面を参照しながら本考案の引き戸装置を詳細に説明する。
【００１４】
図１は本考案の扉用車輪モジュールと扉構造体の位置関係を示す斜視図、図２は本考案の扉用車輪モジュールの内部を示す正面図、図３（ａ）は本考案の左右方向移動子の上面図、図３（ｂ）は本考案の左右方向移動子の正面図、図４（ａ）は本考案の上下方向移動子の正面図、図４（ｂ）は本考案の上下方向移動子の上面図、図５（ａ）は本考案の第三移動子の正面図、図５（ｂ）は本考案の第三移動子の右側面図、図６（ａ）は本考案のカムの左側面図、図６（ｂ）は本考案のカムの正面図、図７は本考案の容器状本体の内部構造を示す分解図、図８（ａ）は本考案の第三移動子およびカムの連結動作を説明するための図、８（ｂ）は本考案の第三移動子およびカムの連結動作を説明するための図、８（ｃ）は本考案の第三移動子およびカムの連結動作を説明するための図、図９（ａ）は本考案の上下方向移動子、第三移動子、およびカムの連結動作を説明するための図、図９（ｂ）は本考案の上下方向移動子、第三移動子、およびカムの連結動作を説明するための図、図９（ｃ）は本考案の上下方向移動子、第三移動子、およびカムの連結動作を説明するための図、図１０（ａ）は本考案の左右方向移動子と上下方向移動子の連結動作を説明するための図、図１０（ｂ）は本考案の左右方向移動子と上下方向移動子の連結動作を説明するための図である。
【００１５】
実施の形態
本考案の扉用車輪モジュール１は、図１〜３に示されるように、Ｘ軸に沿って取り付けられた固定レール２に扉構造体３を摺動自在に垂下させるために用いられるモジュールであって、前記固定レール２に着脱自在に設けられた車輪構造体４と、前記扉構造体３にケース５を介して取り外し可能に設けられる容器状本体６とからなる。
【００１６】
前記容器状本体６の摺動方向端部には、扉の高さ（Ｚ軸方向）を調整するための第一螺子１１と、隣接する扉の離間距離（Ｙ軸方向）を調整するための第二螺子１２と、ケース５を介して容器状本体６を扉構造体３に固設するための固定螺子１３が設けられてなる。
【００１７】
前記容器状本体６には、図２に示されるように、左右方向移動子２０と、上下方向移動子３０と、第三移動子４０と、カム５０とが備えられてなる。前記第一螺子１１は、該左右方向移動子２０に螺合され、前記第二螺子１２は、該カム５０と一体成型されている。ここで、該第二螺子１２は、該カム５０と別体で形成されていてもよい。
【００１８】
なお、図２に示されるように、前記車輪構造体４はアームＡとローラＲを備えているが、前記車輪構造体４は扉構造体３を固定レール２上において摺動可能にするものであればよく、単なるローラＲが摺動自在、および着脱自在に取り付けられていてもよい。ここで、アームＡを取り付けることで、全開時、全閉時において扉構造体３を保持できるので、扉の跳ね返りが防止できる。
【００１９】
以下、容器状本体６内に備えられた構成物、およびその連結動作を図に沿って説明する。
【００２０】
前記左右方向移動子２０は、図３の（ａ）および（ｂ）に示されるように、Ｘ軸に対してＹ軸方向に３０度〜６０度傾斜する板状の当接部２１と、嵌合部２２と、凹部２３とからなる。該嵌合部２２には、前記第一螺子１１と螺合する螺子孔２４が形成される。凹部２３は、容器状本体６を構成する螺子（図示せず）と当接して左右方向移動子２０の移動範囲が制限されることを防ぐために設けられる。
【００２１】
前記上下方向移動子３０は、図４の（ａ）および（ｂ）に示されるように、該上下方向移動子３０の長手方向（Ｚ軸方向）に沿って長孔３１が形成され、該長孔３１内にＸ軸に対してＹ軸方向に該当接部２１と同程度傾斜するように当接部３２ａ、３２ｂが形成され、該上下方向移動子３０の側面には第三移動子４０の固定端に形成された嵌め込み部４１と嵌合可能である嵌合孔３３が形成される。該嵌合孔３３はＹ軸方向には貫通しており、Ｚ軸方向には貫通していない。したがって、該嵌合孔３３と該嵌め込み部４１が嵌合すると、Ｙ軸方向には該上下方向移動子３０のみが移動し、Ｚ軸方向には該上下方向移動子３０および該第三移動子４０が連動する。長孔３１内には前記当接部２１が嵌入され、該当接部２１が当接部３２ａ、３２ｂと当接される。当接部２１、３２ａ、３２ｂの当接する面は滑らかに形成され、互いにスライドする。前記嵌合部２２には上下方向移動子３０の側面が嵌入され、上下方向移動子２０のＸ軸方向の移動範囲が制限される（図１１参照）。また、該上下方向移動子３０上端には、車輪構造体４と連結される連結部３４が形成される。
【００２２】
第三移動子４０は、図５の（ａ）および（ｂ）に示されるように、固定端に形成された嵌め込み部４１と、自由端に形成されたカム面４２と、該カム面４２に形成された１または２以上のカムフォロア４３とからなる。該嵌め込み部４１は、前述したように前記嵌合孔３３と嵌合し、Ｚ軸方向に対しては、前記上下方向移動子３０と第三移動子４０が連動する。
【００２３】
カム５０は、図６の（ａ）および（ｂ）に示されるように、螺旋部５１が形成された回転板５２と第二螺子１２とが一体成型されてなる。第二螺子１２を回転させると、螺旋部５１も一体となって同方向に回転する。なお、本実施の形態では螺旋部５１と第二螺子１２とが一体となった例をあげて説明しているが、本考案はこれに限定されるものではなく、第一螺子１１と同様にそれぞれ別体で成型されていてもよい。別体で成型することによって、消耗品である第二螺子１２だけを交換することができ、螺旋部５１を複数作成する必要がなくなる。
【００２４】
容器状本体６は、図７で示されるように、左右方向移動子２０、上下方向移動子３０、第三移動子４０、およびカム５０を配設するための溝および土手が設けられてなる。
【００２５】
まず、前記左右方向移動子２０を配設するために、前記左右方向移動子２０がＹ軸方向にほぼ隙間なく嵌入されるＸ軸方向に並行した溝６０が形成され、該溝６０の両端にはＸ軸方向に互いに並行する２つの土手６１ａ、６１ｂが形成される。該土手６１ａ、６１ｂにより、該左右方向移動子２０のＺ軸方向の移動が不能となり、該溝６０のＹ軸方向にほぼ隙間なく嵌入されるため、前記容器状本体６内に押圧されることによってＹ軸方向の移動が不能となる。また、凹部２３が形成される側のＸ軸方向端には、Ｘ軸に対してＹ軸方向に前記当接部２１と同程度傾斜した傾斜部６２が形成される傾斜部６２により、凹部２３が形成される側のＸ軸方向端が容器状本体６に衝突することが防止できる。
【００２６】
また、前記上下方向移動子３０を配設するために、上下方向移動子３０がＹ軸方向に移動可能な程度に深い溝であり、Ｚ軸方向に並行した溝７０が形成され、該溝７０の両端にはＺ軸方向に互いに並行する２つの土手７１ａ、７１ｂが形成される。該土手７１ａ、７１ｂにより、上下方向移動子３０のＸ軸方向の移動が不能となる。また、Ｚ軸方向下部には、該上下方向移動子３０が容器状本体６のＺ軸方向下部に突出しないように、係止部７２が形成される。
【００２７】
さらに、前記第三移動子４０を配設するために、嵌め込み部４１を除いた部分の側壁に当接する形状の係止部８１ａ、８１ｂをＺ軸方向上下に有する溝８０が形成され、該溝８０に該第三移動子４０がＹ軸方向にほぼ隙間なく嵌入される。係止部８１ａ、８１ｂにより、前記第三移動子４０のＺ軸方向の移動範囲が制限され、該第三移動子４０が溝８０のＹ軸方向にほぼ隙間なく嵌入されるので、Ｙ軸方向の移動が不能となる。また、両端が前記上下方向移動子３０およびカム５０に当接するように組み込まれ、該上下方向移動子３０およびカム５０がＸ軸方向に移動不能に配設されているため、該第三移動子４０もＸ軸方向に移動不能となる。
【００２８】
最後に、カム５０は、配置が変化せず、ＹＺ平面上を回転可能に配設されてなる。該カム５０を配設するために溝９０が設けられるが、該カム５０は溝９０のＹ軸方向にほぼ隙間なく嵌入されるため、Ｙ軸方向の移動が不能となる。また、Ｘ軸方向一端、およびＺ軸方向には、係止部９１ａ、９１ｂおよび９２ａ、９２ｂがカム５０の大きさに合わせて形成され、Ｘ軸方向他端には前記第三移動子４０が配設されているため、Ｘ軸方向およびＺ軸方向の移動も不能となる。
【００２９】
次に、図を用いて本考案の扉用車輪モジュールの扉の高さ（Ｚ軸方向）の調整、および隣接する扉面の離間距離（Ｙ軸方向）の調整を実現する動作について説明する。
【００３０】
図８（ａ）〜（ｃ）および図９の（ａ）〜（ｃ）に示されるように、扉の高さ（Ｚ軸方向）の調整には、上下方向移動子３０（図示せず）、第三移動子４０、およびカム５０が用いられる。該カム５０の螺旋部５１は、回転板５２の円周部から内巻に形成される。該カム５０を時計回り（図８の（ａ）〜（ｃ）においては左回り）に回転させると、該螺旋部５１の円周部端から該螺旋部５１内に該第三移動子４０のカムフォロア４３が嵌合され、前記第二螺子１２を反時計回り（図８の（ａ）〜（ｃ）においては左回り）に回転させると、該螺旋部５１の円周部端から該カムフォロア４３の嵌合が解除される。回転板５２を時計周りに回転させると、図８の（ａ）〜（ｃ）に沿って動作する。
【００３１】
図８の（ａ）〜（ｃ）の動作と時系列を同期させた図が図９の（ａ）〜（ｃ）である。第二螺子１２の頭部からみて時計回りにカム５０を回転させると、図９の（ａ）〜（ｃ）に沿って動作し、扉構造体３（図示せず）が下方に下がる。逆に、第二螺子１２の頭部からみて反時計回りにカム５０を回転させると、図９の（ｃ）〜（ａ）に沿って動作し、扉構造体３が上方に上がる。これは、時計回りに回転させると、該カムフォロア４３が螺旋部５１内に嵌合される動作において、内巻の螺旋部５１に沿ってカムフォロア４３が回転板５２の中心方向に移動するので、該第三移動子４０がＺ軸方向上側に移動する。逆に、反時計回りに回転させると、該カムフォロア４３が該螺旋部５１に沿って該回転板５２の中心方向から円周方向に移動するため、カムフォロア４３と螺旋部５１との嵌合が解除される。
【００３２】
上記のように、扉の高さを調整することで、床をたとえばフローリングから畳に変更した場合などの実質的な床の高さが変わるときに対応できず、床の高さが高くなった場合には扉の底部が床と接して床面を傷つけること、または開閉不可能となることが防止できる。逆に床の高さが低くなった場合にスペースが生じるために、冷暖房の効率が悪くなること、さらにスペースに足の先などを挟み、家庭内事故の原因となることを防止できる。
【００３３】
図１０の（ａ）および（ｂ）に示されるように、隣接する扉面の離間距離（Ｙ軸方向）の調整には、左右方向移動子２０と上下方向移動子３０が用いられる。構成としては、該上下方向移動子３０の長孔３１に、該左右方向移動子２０の当接部２１が嵌入され、左右方向移動子２０の嵌合部２２側からは、ワッシャーＷおよび容器状本体６を介して第一螺子１１が螺合される。第一螺子１１を螺子頭からみて時計回りに回転させることで、前記水平方向移動子２０が矢印２０Ａの方向に移動し、前記上下方向移動子３０が矢印３０Ａの方向に移動することで、図１０の（ａ）から（ｂ）に移行する。また、同様に、第一螺子１１を螺子頭からみて反時計回りに回転させることで、前記水平方向移動子２０が矢印２０Ａの反対方向に移動し、前記上下方向移動子３０が矢印３０Ａの反対方向に移動することで、図１０の（ｂ）から（ａ）に移行する。該第一螺子１１を回動させることで、該左右方向移動子２０がＸ軸に沿って第一螺子１１上を移動する。該左右方向移動子２０がＸ軸に沿って移動すると、該左右方向移動子２０および該上下方向移動子３０それぞれの当接部２１、３２ａ、３２ｂが互いにＸＹ平面に沿ってスライドする。この際、前述した通り、該左右方向移動子２０はＹ軸方向に移動不能であり、該上下方向移動子３０はＸ軸方向に移動不能であるので、該左右方向移動子２０がＸ軸に沿って移動すると、該上下方向移動子３０はＹ軸に沿って移動するので、隣接する扉面の離間距離を調整することができる。
【００３４】
隣接する扉面を調整することで、ゴミやほこりがたまりにくくでき、また異音を軽減させるための緩衝材を挿入することができるようになる。
【図面の簡単な説明】
【００３５】
【図１】本考案の扉用車輪モジュールと扉構造体の位置関係を示す斜視図である。
【図２】本考案の扉用車輪モジュールの内部を示す正面図である。
【図３】（ａ）は本考案の左右方向移動子の上面図、（ｂ）は本考案の左右方向移動子の正面図である。
【図４】（ａ）は本考案の上下方向移動子の正面図、（ｂ）は本考案の上下方向移動子の上面図である。
【図５】（ａ）は本考案の第三移動子の正面図、（ｂ）は本考案の第三移動子の右側面図である。
【図６】（ａ）は本考案のカムの左側面図、（ｂ）は本考案のカムの正面図である。
【図７】本考案の容器状本体の内部構造を示す分解図である。
【図８】（ａ）、（ｂ）および（ｃ）は本考案の第三移動子、およびカムの連結動作を説明するための図である。
【図９】（ａ）、（ｂ）および（ｃ）はは本考案の上下方向移動子、第三移動子、およびカムの連結動作を説明するための図である。
【図１０】（ａ）および（ｂ）は本考案の左右方向移動子と上下方向移動子の連結動作を説明するための図である。
【符号の説明】
【００３６】
１  扉用車輪モジュール
２  固定レール
３  扉構造体
４  車輪構造体
５  ケース
６  容器状本体
１１  第一螺子
１２  第二螺子
１３  固定螺子
２０  左右方向移動子
２１、３２ａ、３２ｂ  当接部
２２  嵌合部
２３  凹部
２４  螺子孔
３０  上下方向移動子
３１  長孔
３３  嵌合孔
３４  連結部
４０  第三移動子
４１  嵌め込み部
４２  カム面
４３  カムフォロア
５０  カム
５１  螺旋部
５２  回転板
６０、７０、８０、９０  溝
６１ａ、６１ｂ、７１ａ、７１ｂ  土手
６２  傾斜部
７２、８１ａ、８１ｂ、９１ａ、９１ｂ、９２ａ、９２ｂ  係止部
Ａ  アーム
Ｒ  ローラ
Ｗ  ワッシャー
【図１】
0003144568.tif 000003
【図２】
0003144568.tif 000004
【図３】
0003144568.tif 000005
【図４】
0003144568.tif 000006
【図５】
0003144568.tif 000007
【図６】
0003144568.tif 000008
【図７】
0003144568.tif 000009
【図８】
0003144568.tif 000010
【図９】
0003144568.tif 000011
【図１０】
0003144568.tif 000012